(57)【要約】【課題】Ｘ線装置の高電圧発生部の小型化を図ること。【解決手段】被検者へ照射するためのＸ線を発生するＸ線管１３０を有するＸ線管装置１２０と、前記Ｘ線管１３０に印加する直流の高電圧を発生する高電圧発生部２４０と、前記被検者を透過したＸ線を検出して電気信号に変換するＸ線検出ユニット１２４と、Ｘ線撮影の操作を行うと共に前記Ｘ線検出ユニット１２４からの電気信号に基づいて生成されたＸ線画像を表示する操作部４０と、を備え、前記高電圧発生部２４０は、交流電圧を昇圧するための昇圧用変圧器と、コンデンサと、整流器を有し、前記昇圧用変圧器は鉄心に巻回された一次側巻線と二次巻線を有し、前記コンデンサは、前記昇圧用変圧器の前記二次巻線と積層状態に配置された電極と、前記二次巻線と積層状態に配置された誘電体とを備えて形成されるＸ線装置。【選択図】図７
2016062747.tif 000002
【特許請求の範囲】
【請求項１】
被検者へ照射するためのＸ線を発生するＸ線管を有するＸ線管装置と、
前記Ｘ線管に印加する直流の高電圧を発生する高電圧発生部と、
前記被検者を透過したＸ線を検出して電気信号に変換するＸ線検出ユニットと、
Ｘ線撮影の操作を行うと共に前記Ｘ線検出ユニットからの電気信号に基づいて生成されたＸ線画像を表示する操作部と、を備え、
前記高電圧発生部は、交流電圧を昇圧するための昇圧用変圧器と、コンデンサと、整流器を有し、
前記昇圧用変圧器は鉄心に巻回された一次側巻線と二次巻線を有し、
前記コンデンサは、前記昇圧用変圧器の前記二次巻線と積層状態に配置された電極と、前記二次巻線と積層状態に配置された誘電体とを備えて形成される、
ことを特徴とするＸ線装置。
【請求項２】
請求項１に記載のＸ線装置において、
前記高電圧発生部は、交流電圧を昇圧するための前記昇圧用変圧器と、前記コンデンサと前記整流器を有し前記昇圧用変圧器の出力電圧を整流すると共にさらに昇圧するコッククロフト・ウォルトン回路を備え、
前記昇圧用変圧器の前記鉄心に前記一次側巻線と前記二次巻線が巻回され、さらに前記コッククロフト・ウォルトン回路が有する前記コンデンサを構成する２つの前記電極と前記誘電体が、前記一次側巻線や前記二次巻線と積層構造を成すようにして設けられた絶縁体に巻回されている、
ことを特徴とするＸ線装置。
【請求項３】
請求項１に記載のＸ線装置において、
前記高電圧発生部が有する前記コッククロフト・ウォルトン回路が昇圧のための複数のコンデンサを有し、前記複数のコンデンサのそれぞれが前記２つの電極と前記誘電体を有し、前記複数のコンデンサの内高電圧側のコンデンサが外周側に形成されるようにして、前記各コンデンサの前記２つの電極と前記誘電体が、それぞれ積層状態で巻回されて形成されている、
ことを特徴とするＸ線装置。
【請求項４】
請求項１に記載のＸ線装置において、
前記高電圧発生部の前記コンデンサは、前記昇圧用変圧器の前記二次巻線と並列に接続された共振コンデンサであって、前記共振コンデンサは２つの前記電極と前記誘電体を有し、前記電極と前記誘電体が前記一次側巻線や前記二次巻線と積層構造を成すようにして設けられた絶縁体に巻回されている、
ことを特徴とするＸ線装置。
【請求項５】
請求項１に記載のＸ線装置において、
前記高電圧発生部の前記コンデンサは、前記昇圧用変圧器の前記二次巻線に対して整流器を介して並列に接続された平滑コンデンサであって、前記平滑コンデンサは２つの前記電極と前記誘電体を有し、前記電極と前記誘電体が前記前記一次側巻線や前記二次巻線と積層構造を成すようにして設けられた絶縁体に巻回されている、
ことを特徴とするＸ線装置。
【請求項６】
請求項１乃至請求項５の内の一に記載のＸ線装置において、
前記Ｘ線管装置と高電圧発生部と高電圧発生部とＸ線検出ユニットを所定の位置関係で備えていると共にＸ線撮影スケジュールに従って回転する回転フレームと、前記回転フレームの回転をＸ線撮影スケジュールに従って制御するガントリ制御装置とがさらに設けられ、
前記高電圧発生部が有する昇圧用変圧器やコンデンサや整流器が、前記回転フレームの回転と共に回転する、
ことを特徴とするＸ線装置。
【請求項７】
請求項１乃至請求項６の内の一に記載のＸ線装置において、
前記高電圧発生部の前記コンデンサを形成する前記電極と前記誘電体は前記二次巻線の外周に積層構造を成すように巻回されている、
ことを特徴とするＸ線装置。
【請求項８】
請求項１乃至請求項６の内の一に記載のＸ線装置において、
前記高電圧発生部の前記コンデンサを形成する前記電極と前記誘電体は、昇圧用変圧器の前記一次側巻線と前記二次巻線との間の位置に積層構造を成すように巻回されている、
ことを特徴とするＸ線装置。
【請求項９】
請求項１乃至請求項８の内の一に記載のＸ線装置において、
前記高電圧発生部の前記コンデンサは、誘電体シートを挟むようにして前記誘電体シートの内側と外側とに配置された電極シートと、外側に配置された電極シートの更に外側に設けられた絶縁シートを有するコンデンサシートを、前記二次巻線と積層構造となすように巻回して形成した、
ことを特徴とするＸ線装置。
【請求項１０】
請求項２乃至請求項９の内の一に記載のＸ線装置において、
前記昇圧用変圧器の鉄心の長手方向を軸方向とすると、前記軸方向の周方向に前記昇圧用変圧器の一次側巻線や二次巻線が巻回されると共に、前記軸方向の周方向に前記コンデンサを形成する前記２つの電極と前記２つの電極に挟まれた前記誘電体とが巻回され、
前記コンデンサの前記巻回された２つの電極がそれぞれ前記軸方向を横切る方向に分割されることにより、前記コンデンサが分割された前記２つの電極により形成された分割コンデンサの直列回路で構成される、
ことを特徴とするＸ線装置。
【発明の詳細な説明】
【技術分野】
【０００１】
本発明はＸ線を照射してＸ線画像を得るＸ線装置に関する。
【背景技術】
【０００２】
Ｘ線装置は、高電圧発生装置や、前記高電圧発生装置からの高電圧の供給に基づいてＸ線を発生するＸ線管装置や、Ｘ線検出装置を有する。前記Ｘ線装置は、前記Ｘ線管装置で発生したＸ線を被検者の撮影対象部位に照射し、前記被検者を透過したＸ線を前記Ｘ線検出装置で検出して前記撮影対象部位のＸ線画像を生成する。前記Ｘ線管装置は、電子線を発生する陰極と前記電子線が衝突することによりＸ線を発生する陽極を備えるＸ線管を有していて、前記高電圧発生装置から前記Ｘ線管の陰極と陽極に高電圧を印加し、前記陰極で発生した前記電子線を前記高電圧で加速して前記電子線の運動エネルギを増大させ、高い運動エネルギを有する前記電子線を前記陽極に衝突させる。運動エネルギを増大させた電子線を前記陽極に衝突させることにより、前記陽極発生するＸ線量を増大することができる。
【０００３】
前記Ｘ線管に印加する高電圧を発生する高電圧発生装置の一例が特許文献１に記載されている。
【先行技術文献】
【特許文献】
【０００４】
【特許文献１】特開２０１１−１９８５２７号公報
【発明の概要】
【発明が解決しようとする課題】
【０００５】
前記高電圧発生装置は電圧を昇圧するために複数個のコンデンサを備えており、比較的大きな構造となる。前記高電圧発生装置を収納するためのスペースを小さくしたい要望があるが、要望に応えられるほどには小さくできなかった。収納スペースを小さくするためには、前記高電圧発生装置自身を小型化することが重要である。
【０００６】
特にＸ線装置の一つであるＸ線Ｃｏｍｐｕｔｅｄ  Ｔｏｍｏｇｒａｐｈｙ装置（以下Ｘ線ＣＴ装置と記す）では、被検者の撮影対象部位の立体画像を生成するために、前記高電圧発生装置や、前記Ｘ線管装置や、Ｘ線検出装置などが、回転フレームに固定されて被検者の周囲を回転し、撮影対象部位を異なる角度からＸ線撮影して、画像情報を取得する。取得した異なる角度からの画像情報に基づき被検者の撮影対象部位の立体画像を生成する。
【０００７】
このようにＸ線ＣＴ装置では、撮影対象部位の角度を変えながらＸ線撮影を行うための回転フレームを設け、前記回転フレームに前記高電圧発生装置を設ける構造となっている。前記回転フレームは撮影対象部位の外周を回転する構造のため、小型化できることが望ましい。上述のように前記高電圧発生装置はＸ線管と共に前記回転フレームに配置しなければならず、前記高電圧発生装置を小型化できれば色々な点でメリットがある。
【０００８】
本発明の目的は、小型化が可能となる高電圧発生装置を備えたＸ線装置を提供することである。
【課題を解決するための手段】
【０００９】
前記課題を解決するＸ線装置は、被検者へ照射するためのＸ線を発生するＸ線管を有するＸ線管装置と、前記Ｘ線管に印加する直流の高電圧を発生する高電圧発生部と、前記被検者を透過したＸ線を検出して電気信号に変換するＸ線検出ユニットと、Ｘ線撮影の操作を行うと共に前記Ｘ線検出ユニットからの電気信号に基づいて生成されたＸ線画像を表示する操作部と、を備え、前記高電圧発生部は、交流電圧を昇圧するための昇圧用変圧器と、コンデンサと、整流器を有し、前記昇圧用変圧器は鉄心に巻回された一次側巻線と二次巻線を有し、前記コンデンサは、前記昇圧用変圧器の前記二次巻線と積層状態に配置された電極と、前記二次巻線と積層状態に配置された誘電体とを備えて形成される、ことを特徴とする。
【発明の効果】
【００１０】
本発明によれば、小型化が可能となる高電圧発生装置を備えたＸ線装置を得ることができる。
【図面の簡単な説明】
【００１１】
【図１】本発明が適用された一実施例であるＸ線ＣＴ装置の外観を示す外観図である。
【図２】本発明が適用された一実施例であるＸ線ＣＴ装置の構成を示すブロック図である。
【図３】Ｘ線ＣＴ装置の回転フレームに設けられた各装置の配置状態を説明する説明図である。
【図４】Ｘ線管へ直流高電圧を供給するための高電圧供給回路の一例を説明するブロック図である。
【図５】高電圧発生部の回路の一例を示す回路図である。
【図６】高電圧発生部の構造を説明する説明図である。
【図７】昇圧用変圧器の二次巻線の外周側にコンデンサを形成した実施例を説明する説明図である。
【図８】昇圧用変圧器の二次巻線の外周側に共振コンデンサを形成した実施例を説明する説明図である。
【図９】昇圧用変圧器の二次巻線の内側にコンデンサを形成した実施例を説明する説明図である。
【図１０】昇圧用変圧器の二次巻線の内側に共振コンデンサを形成した実施例を説明する説明図である。
【図１１】昇圧用変圧器の二次巻線の外周側に複数のコンデンサを形成した実施例を説明する説明図である。
【図１２】昇圧用変圧器の二次巻線の内側に複数のコンデンサを形成した実施例を説明する説明図である。
【図１３】高電圧発生部の回路の他の一例を示す回路図である。
【図１４】昇圧用変圧器の二次巻線の外周側に平滑コンデンサを形成した実施例を説明する説明図である。
【図１５】昇圧用変圧器の二次巻線の内側に平滑コンデンサを形成した実施例を説明する説明図である。
【図１６】軸方向に分割されたコンデンサを形成した実施例を説明する説明図である。
【図１７】巻回されたコンデンサを形成するためのコンデンサシートの一例を説明する説明図である。
【図１８】巻回されたコンデンサを形成するためのコンデンサシートの他の一例を説明する説明図である。
【発明を実施するための形態】
【００１２】
１．はじめに
本発明を実施するための形態（以下実施例と記す）を、以下図面を使用して説明する。実施例では、ほぼ同様の構成に対して同じ符号を付す。同じ符号の構成は互いにほぼ同様の作用を為し、ほぼ同様の効果を奏する。これら同じ符号の構成に関して、説明の繰り返しを省略する場合がある。以下の実施例が解決する課題や奏する効果は実施例の説明の中で説明するが、以下に説明する実施例は上記「発明が解決しようとする課題」の欄に記載の課題だけでなく、それ以外の課題をも解決することができる。また以下に説明する実施例は上記「発明の効果」の欄に記載した効果だけでなく、それ以外の効果をも奏することができる。
【００１３】
本発明は、Ｘ線を被検者に照射して被検者のＸ線画像を生成するＸ線装置に適用できるが、特にＸ線装置の中でも効果の大きいＸ線ＣＴ装置に関する実施例を、Ｘ線装置の代表例として以下説明する。
【００１４】
２．Ｘ線ＣＴ装置１０の全体構成およびＸ線撮影動作の説明
（１）Ｘ線ＣＴ装置１０の全体構成の説明
図１は、本発明が適用された一実施例であるＸ線ＣＴ装置１０の外観図であり、図２はＸ線ＣＴ装置１０の全体構成を説明するブロック図である。Ｘ線ＣＴ装置１０は撮影部３０と操作部４０を備えており、撮影部３０はＸ線を遮断する隔壁２０で作られる撮影室内に設けられ、操作部４０は隔壁２０を挟んで撮影室の外側に設けられている。
【００１５】
撮影部３０は、被検者の撮影対象部位の撮影角度を変えながらＸ線撮影を行い、角度を変えたＸ線画像情報を多数取得するためのスキャナ１００と被検者を載置する寝台１０４とを有している。またスキャナ１００には寝台１０４に載置された被検者をその内部に載置するための開口部１１２が設けられている。
【００１６】
操作部４０は、操作卓１８０に設けられた撮影操作のためあるいは情報の入出力のための入出力装置１９０や、Ｘ線ＣＴ装置１０全体の制御を行うためのシステム制御装置１８４（図２参照）や、検出されたＸ線画像情報から立体画像を生成するための画像処理装置１８６（図２参照）や、検出あるいは生成された画像や必要な情報を記憶するための記憶装置１８８（図２参照）、などを備えている。なおこれらの構成の一部は図１の記載では省略している。操作者は撮影のスケジュールに沿って操作部４０から撮影のための操作を行うことにより、被検者の撮影対象部位のＸ線撮影がスキャナ１００によって行われる。Ｘ線撮影によって得られたＸ線画像情報がスキャナ１００から操作部４０の画像処理装置１８６へ送られる。画像処理装置１８６では、システム制御装置１８４の指令に従って得られたＸ線画像情報から撮影対象部位の立体画像が生成され、生成された立体画像は、操作者の指示に従い、入出力装置１９０の出力装置に表示されたり、記憶装置１８８に記憶されたりする。
【００１７】
（２）Ｘ線ＣＴ装置１０の撮影動作の説明
図２において、スキャナ１００の内部には撮影スケジュールに従って回転かる回転フレーム１１０が設けられ、回転フレーム１１０は開口部１１２を有していて、開口部１１２の内側に寝台１０４に載置された被検者が挿入、配置される。ただし図２では被検者の記載を省略している。システム制御装置１８４から撮影スケジールに基づいて寝台制御装置１７２に指令が送られ、寝台制御装置１７２によって、被検者を載置する寝台１０４の高さや被検者の体軸方向の移動が制御される。
【００１８】
回転フレーム１１０には、Ｘ線を発生するためのＸ線管１３０（図５参照）を有するＸ線管装置１２０や、発生したＸ線から所定の広がり角を有するＸ線ビームを成形して被検者に照射するコリメータ１２２や、被検者を透過したＸ線ビームを検出して被検者を透過したＸ線ビームの強度に応じた電気信号をＸ線画像情報として出力するＸ線検出ユニット１２４や、Ｘ線検出ユニット１２４により検出されたＸ線画像情報を画像処理装置１８６へ送信するデータ収集装置１２６、などが設けられている。
【００１９】
ガントリ制御装置１７４はシステム制御装置１８４からの指令に従って回転フレーム１１０の回転を制御し、コリメータ１２２から被検者に照射されるＸ線ビームの角度が撮影スケジュールに従って変化する。Ｘ線検出ユニット１２４から回転フレーム１１０の回転に従って撮影角度が順に変化した多数のＸ線画像情報が出力され、データ収集装置１２６を介して画像処理装置１８６に前記多数のＸ線画像情報が取り込まれる。これらのＸ線画像情報に基づいて被検者の撮影対象部位のＸ線立体画像が画像処理装置１８６により生成される。
【００２０】
（３）スキャナ１００の回転フレーム１１０の説明
図３は、被検者の体軸に垂直な面における回転フレーム１１０に設けられた各装置の配置状態の一例を説明する説明図である。なお各装置の具体的な配置はそれぞれのスキャナ１００の機能に応じて最適な状態になることが望ましく、図３はあくまでも一例を示す。以下で説明する如く本発明にとって特に重要な構成である高電圧発生部２４０は回転フレーム１１０に設けられており、回転フレーム１１０の回転に従って回転する。このため高電圧発生部２４０は電気的および機械的に厳しい環境で動作することとなる。
【００２１】
図３で、左右に配置されたスタンド８２やスタンド８３にそれぞれ設けられた指示装置８４や指示装置８５により回転フレーム１１０が回転自在に支持される。図示しない回転駆動機構により回転フレーム１１０がガントリ制御装置１７４の指示に従って回転する。被検者が寝台１０４により載置されるための開口部１１２の一方側にＸ線管１３０（図４参照）を有するＸ線管装置１２０とコリメータ１２２が配置され、開口部１１２の他方側にＸ線検出ユニット１２４が配置されている。さらにＸ線管装置１２０が有するＸ線管に直流高電圧を供給する高電圧発生部２４０や、高電圧発生部２４０に所定周波数の交流電圧を供給するインバータ２３０や、Ｘ線管装置１２０を冷却するための冷却装置１７６や、回転フレーム１１０に設けられた装置を制御するための制御部１７１、が回転フレーム１１０に設けられている。なお制御部１７１はＸ線制御装置１７０の一部としても動作する。前記図示しない回転駆動機構により回転フレーム１１０が回転すると、インバータ２３０や高電圧発生部２４０を含め、回転フレーム１１０に設けられた各装置には遠心力が発生する。インバータ２３０や高電圧発生部２４０を含め、これらの装置は遠心力に十分対応できることが望まれる。以下で説明する高電圧発生部２４０の構成は省スペース化のための対応改善や高電圧への対応改善だけでなく、遠心力などの対応においても大きな効果を奏する。
【００２２】
３．高電圧発生部２４０の説明
（１）Ｘ線管への高電圧供給回路の説明
図４はＸ線管装置１２０が有するＸ線管１３０へ直流高電圧を供給する高電圧供給回路を説明するためのブロック図である。商用電源２２２から供給された商用電圧はコンバータ２２４によって昇圧された直流電圧に変換され、変換された直流電圧がインバータ２３０に供給される。インバータ２３０では供給された直流電圧に基づき所定の周波数の交流電圧に変換する。
【００２３】
高電圧発生部２４０は昇圧した高電圧の交流電圧を発生する高電圧変圧部２５０と昇圧した高電圧の交流電圧に基づき直流の高電圧を発生する高電圧整流部３００を有している。高電圧変圧部２５０は昇圧用の変圧器を有しており、所定の周波数の交流電圧がインバータ２３０から高電圧変圧部２５０に供給されると前記昇圧用の変圧器により高電圧の交流電圧を出力する。高電圧整流部３００は例えばコッククロフト・ウォルトン回路を有しており、供給された前記高電圧の交流電圧は高電圧整流部３００でさらに昇圧されると共に直流電圧に変換されて、Ｘ線管１３０の陰極１３２と陽極１３４とに供給される。Ｘ線管１３０に供給される直流電圧の値はＸ線管１３０の仕様により異なるが、例えば数万Ｖから数十万Ｖである。この直流電圧によりＸ線管１３０の陰極１３２から陽極１３４に照射される電子ビームが加速され、陽極１３４は加速された電子ビームのエネルギに基づいてＸ線を発生する。
【００２４】
なお図４に記載の高電圧供給回路は本発明が適用される高電圧供給回路の一例であり、この構成に限定されるものではない。高電圧変圧部２５０は昇圧用変圧器を有しており、また高電圧変圧部２５０あるいは高電圧整流部３００はコンデンサを有している。以下で説明する如く昇圧用変圧器やコンデンサを以下で説明する実施例の構成を用いることにより、例えばより省スペース化が実現でき、回転フレーム１１０への搭載がより改善される。また高電圧への対応がより省スペースで可能となる。言い換えると耐圧に優れた構造となる。また回転する回転フレーム１１０に取り付けられても、遠心力などの機械的な応力により対応し易い効果を奏する。
【００２５】
（２）高電圧発生部２４０の一例の説明
図５に高電圧発生部２４０が有する高電圧変圧部２５０および高電圧整流部３００の具体的な回路の一例を記載する。上述したように本発明の適用はこの回路構成に限るものではない。インバータ２３０から所定の周波数の交流電圧が出力され、高電圧変圧部２５０に供給される。高電圧変圧部２５０の回路構成は特に特定されるものではないが、例えば本実施例では並列接続された二つの昇圧用変圧器２６０と２７０が設けられる。昇圧用変圧器２６０や２７０はそれぞれ一次側巻線２６２や２７２や二次巻線２６４や２７４を備えており、二次巻線２６４や２７４にはそれぞれ共振コンデンサ２８２と２８４が設けられている。
【００２６】
昇圧用変圧器２６０や２７０の一次側巻線２６２や２７２に所定の周波数の交流電圧が供給され、昇圧用変圧器２６０や２７０によってそれぞれ昇圧されてそれぞれの二次巻線２６４や２７４に昇圧された電圧が出力される。昇圧用変圧器２６０や２７０の二次巻線２６４や２７４により出力された高電圧はそれぞれ高電圧整流部３００により整流されて、直流の高電圧がＸ線管１３０の陰極１３２と陽極１３４との間に供給される。
【００２７】
共振コンデンサ２８２や共振コンデンサ２８４はこの実施例では昇圧用変圧器２６０や昇圧用変圧器２７０の二次巻線２６４や二次巻線２７４に設けられているが、一次側巻線２６２や一次側巻線２６２の側に設けても良い。共振コンデンサ２８２や共振コンデンサ２８４は昇圧用変圧器２６０や昇圧用変圧器２７０と共に、昇圧用変圧器２６０や昇圧用変圧器２７０に供給される交流電圧の周波数に近い共振周波数を持つことで、昇圧用変圧器２６０や昇圧用変圧器２７０の出力を増大することができる。
【００２８】
高電圧整流部300は並列接続された2組のコッククロフト・ウォルトン回路を有している。第1コッククロフト・ウォルトン回路はコンデンサ３３２やコンデンサ３３４、コンデンサ３３６、コンデンサ３３８、整流器３０２、整流器３０４、整流器３０６、整流器３０８、で構成される。前記コンデンサや整流器は接続点３５２や接続点３５４、接続点３５６、接続点３５８でそれぞれ接続されている。
【００２９】
また第２コッククロフト・ウォルトン回路はコンデンサ３４２やコンデンサ３４４、コンデンサ３３６、コンデンサ３３８、整流器３１２、整流器３１４、整流器３１６、整流器３１８、で構成される。前記コンデンサや整流器は接続点３６２や接続点３６４、接続点３５６、接続点３５８でそれぞれ接続されている。なおコンデンサ３３６やコンデンサ３３８、接続点３５６、接続点３５８は、第1コッククロフト・ウォルトン回路と第２コッククロフト・ウォルトン回路の両方で使用される。
【００３０】
昇圧用変圧器２６０と昇圧用変圧器２７０にインバータ２３０から所定の周波数の交流電圧が供給されると、昇圧用変圧器２６０の二次巻線２６４と昇圧用変圧器２７０の二次巻線２７４との接続点２９２を共通の基準点としてそれぞれＶ１矢印２６６やＶ２矢印２７６で示す方向の交流電圧をそれぞれ発生する。Ｖ１矢印２６６で示す交流電圧は第1コッククロフト・ウォルトン回路によって昇圧・整流されて負の直流高電圧が接続点３５８に発生し、Ｘ線管１３０の陰極１３２に供給される。Ｖ２矢印２７６で示す交流電圧は第２コッククロフト・ウォルトン回路によって昇圧・整流されて負の直流高電圧が共用の接続点３５８に発生し、Ｘ線管１３０の陰極１３２に供給される。なおＸ線管１３０の陽極１３４は共通の基準点である接続点２９２に電気的に接続されている。
【００３１】
４．高電圧発生部２４０の内部機器の配置例の説明
図６は高電圧発生部２４０の内部機器の配置状態の一例を説明する説明図である。図３に記載の如く高電圧発生部２４０は回転フレーム１１０に搭載され、回転フレーム１１０の回転と共に回転する。高電圧発生部２４０は筐体２４２に収められており、筐体２４２内のフレーム２４４に昇圧用変圧器２６０や昇圧用変圧器２７０、高電圧整流部３００、加熱変圧器１４０が固定されている。また筐体２４２内は絶縁油２４６で満たされて、密封されている。
【００３２】
昇圧用変圧器２６０や昇圧用変圧器２７０は共通の鉄心２５６を備えており、鉄心２５６が取付金具２５２によりフレーム２４４に固定されることにより、昇圧用変圧器２６０や昇圧用変圧器２７０がフレーム２４４に固定されている。鉄心２５６に筒状あるいは四角型の、あるいは多角形の、巻枠が設けられ、巻枠に昇圧用変圧器２６０や昇圧用変圧器２７０の一次側巻線２６２や一次側巻線２６２がそれぞれ巻回されている。一次側巻線２６２や一次側巻線２６２外周に絶縁体が設けられ、前記絶縁体の外周に昇圧用変圧器２６０や昇圧用変圧器２７０の二次巻線２６４や二次巻線２７４が巻回されている。
【００３３】
本実施例では、さらに二次巻線２６４や二次巻線２７４の外周に絶縁体がそれぞれ設けられ、それぞれの絶縁体の外周にコンデンサがそれぞれ形成されている。前記コンデンサは本実施例ではコッククロフト・ウォルトン回路の初段のコンデンサ３３２や３４２であるが、これに限るものではない。コンデンサ３３２や３４２の代わりに共振コンデンサ２８２や２８４を形成しても良いし、さらに多層に積層構造でコンデンサを形成し、共振コンデンサ２８２の外側にコンデンサ３３２を形成し、共振コンデンサ２８４の外側にコンデンサ３４２を形成しても良い。あるいは前記外側と内側のコンデンサを逆に形成しても良い。これらの具体的な構造に付いては以下で説明する。またコッククロフト・ウォルトン回路の初段だけでなく他のコンデンサを積層構造で形成しても良い。図６では、説明を簡単にするために昇圧用変圧器２６０や昇圧用変圧器２７０の外周形成されたコンデンサの出力が高電圧整流部３００に供給されているが、上述のように高電圧整流部３００を構成するコンデンサの一部が昇圧用変圧器２６０や昇圧用変圧器２７０の外周に配置されるようにしても良い。さらに高電圧整流部３００を構成するコンデンサの一部が昇圧用変圧器２６０や昇圧用変圧器２７０の外周に配置する構造に伴って高電圧整流部３００を構成する整流器の一部を昇圧用変圧器２６０や昇圧用変圧器２７０の端部に設けるようにしても良い。
【００３４】
昇圧用変圧器２６０や昇圧用変圧器２７０の出力が高電圧整流部３００に供給され、高電圧整流部３００で直流高電圧が作られ、高電圧接続機構３６０からＸ線管１３０の陰極１３２に供給される。筐体２４２内には加熱変圧器１４０が設けられており、Ｘ線管１３０の陰極１３２を加熱するための電流をＸ線管１３０に供給する。
【００３５】
５．昇圧用変圧器２６０および２７０の巻線と積層構造を成すコンデンサの説明
（１）コッククロフト・ウォルトン回路に使用されるコンデンサ３３２の構成の説明
図７は昇圧用変圧器２６０の外周に高電圧整流部３００を構成するコッククロフト・ウォルトン回路に使用されるコンデンサ３３２を形成した構造を説明する説明図であり、昇圧用変圧器２６０の外周にコンデンサ３３２を形成した構造の断面図である。図８は昇圧用変圧器２６０の外周に共振コンデンサ２８２を形成した構造を説明する説明図であり、昇圧用変圧器２６０の外周に共振コンデンサ２８２を形成した構造の断面図である。昇圧用変圧器２７０外周に高電圧整流部３００を構成するコッククロフト・ウォルトン回路に使用されるコンデンサ３４２を形成した構造は図７を用いた説明内容とほぼ同じであり、代表して図７で説明する。また昇圧用変圧器２７０外周に共振コンデンサ２８４を形成した構造は図８を用いた説明内容とほぼ同じであり、代表して図８で説明する。
【００３６】
図７において昇圧用変圧器２６０の鉄心２５６外周に筒状例えば円筒形あるいは四角形または多角形の形状を成す巻枠４１２が設けられており、巻枠４１２に一次側巻線２６２が巻回されている。一次側巻線２６２の外周を覆うようにして絶縁機能を有する巻枠４２２が設けられ、巻枠４２２に二次巻線２６４が巻回されている。鉄心２５６に一次側巻線２６２と二次巻線２６４とが巻回されることにより、変圧器として動作する。一次側巻線２６２より二次巻線２６４の巻き数が多くなるように作られることにより、二次巻線２６４から昇圧された交流電圧が出力される。一次側巻線２６２と二次巻線２６４との間は巻枠４２２により絶縁されている。二次巻線２６４の外周に絶縁体４３２が設けられており、絶縁体４３２の外周にコンデンサ３３２が形成されている。
【００３７】
コンデンサ３３２は単に２つの電極４４２と４４６との間に誘電体４４４を挟み込む構造としても良いが、コンデンサ３３２の容量を大きくするためには誘電体４４４を挟んで対向する電極の面積を大きくすることが望ましい。薄い２枚の金属の間に誘電体４４４例えばフィルムを挟んだ３層構造のシートにさらに絶縁材を加えた構成の積層コンデンサシートを巻回することによりコンデンサを形成しても良い。積層コンデンサシートを複数回巻回する構成では、誘電体４４４を挟んで対向する上記電極の有効面積を巻回数の増加に従って増大することができ、巻回数を適切に選択することにより、望ましい容量のコンデンサ３３２を作ることができる。このことは以下に説明する他の全ての実施例に適用することができ、巻回する軸方向の長さを短くしても必要な容量を得ることができる。
【００３８】
上述のように２つの電極４４２と４４６との間に誘電体４４４を挟み込む構造とし、巻回の回数を１回あるいは数回とした巻回回数の少ない構造では、誘電体４４４の厚さを厚くすることが容易であり、電極４４２と電極４４６との間の耐電圧を高くすることができる。従って端子間電圧の高いコンデンサを形成することができる。このことは以下で説明する他の実施例においても同様である。
【００３９】
一方巻回回数を多くすると電極４４２と電極４４６との対向面積を増加することができ、容量を増大することができる。所定の容量を得る場合に巻回回数を調整することにより、図７の中心軸２５４方向の長さを短くできる。一次側巻線２６２や二次巻線２６４の中心軸２５４方向の長さとコンデンサ３３２の中心軸２５４方向の長さを合わせることができ、昇圧用変圧器２６０の外周にコンデンサ３３２や以下に記載の他のコンデンサ、例えば共振コンデンサ２８２を形成することが容易となる。また以下に記載する中心軸２５４方向にスリットを設けて、中心軸２５４の方向に複数個のコンデンサを形成することが容易となる。このことは他の実施例においても同様である。
【００４０】
電極４４２や電極４４６としては、Ａｌ（アルミ）やＺｎ（亜鉛）、Ｃｕ（銅）などの蒸着金属、あるいはシート電極などを利用できる。また誘電体４４４としては、ＰＰ（ポリプロピレン）、ＰＴＦＥ（フッ素樹脂）、ＰＥＴ（ポリエチレンテレフタラート）などのプラスチックフィルムや、あるいは絶縁紙などシート状の絶縁体が適当である。あるいは筒形状のセラミックなどで構成してもよい。電極４４２や電極４４６の間の耐電圧を高めるために電極４４２と電極４４６との間に上記誘電体４４４を複数層設ける構造としても良い。昇圧用変圧器２６０とコンデンサ３３２との間のリード線４４８や４４９の接続、例えば接続点２９４や接続点３５２は半田付けなどのロウ付け、溶接、溶射（メタリコン）、導電性ペーストなどで構成することができる。上述した電極や誘電体、接続点の材料や構成は他の実施例においても同様であり、他の実施例での説明を省略する。
【００４１】
昇圧用変圧器２６０や昇圧用変圧器２７０で、二次巻線２６４や二次巻線２７４と接続されるコンデンサ３３２やコンデンサ３４２を二次巻線２６４や二次巻線２７４の外側に、これらと積層の構造で配置することにより、昇圧用変圧器とコッククロフト・ウォルトン回路に使用されるコンデンサとをコンパクトの構造で作ることができ、高電圧発生部２４０全体がコンパクトになる。さらに昇圧用変圧器とコッククロフト・ウォルトン回路に使用されるコンデンサとが遠心力に対して大変強い構造となり、高電圧発生部２４０が回転フレーム１１０に取り付けられることにより、高電圧発生部２４０が回転しても遠心力に十分に耐えることができ、信頼性が向上する。昇圧用変圧器２６０や昇圧用変圧器２７０と前記各コンデンサとの接続が容易となることは当然であるが、前記接続構造も遠心力に十分に耐えることができる構造となり、これらの接続に関しても信頼性が向上する。
【００４２】
（２）共振コンデンサ２８２の構成の説明
図８は、図７に記載のコンデンサ３３２の代わりに共振コンデンサ２８２を昇圧用変圧器２６０の外周に形成した実施例である。図７で説明した技術内容は図８においても同じであり、同じ符号の構成はそれぞれ同じ作用をなし、同じ効果を奏する。同じ符号の構成について説明の繰り返しは省略する。昇圧用変圧器２６０の外周に図７と同様に絶縁体４３２が設けられていて、絶縁体４３２の外側にコンデンサ３３２の代わりに共振コンデンサ２８２が形成されている。共振コンデンサ２８２の作用はコンデンサ３３２と異なっているが、共振コンデンサ２８２の構造は図７で説明したコンデンサ３３２の構造と同様であり、電極４５２と電極４５６との間に誘電体４５４が設けられている。電極４５２と電極４５６は図７で説明の電極４４２や電極４４６と同じ材料で同じように構成することができる。誘電体４５４も図７で説明した誘電体４４４と同じ材料で同じように構成することができる。
【００４３】
共振コンデンサ２８２は昇圧用変圧器２６０の漏れインダクタンス（図示せず）と共振させることを目的とし、これにより昇圧用変圧器２６０への供給電流を増加させ、昇圧用変圧器２６０の出力電流を増加させる作用をする。図５で説明したように共振コンデンサ２８２は昇圧用変圧器２６０の二次巻線２６４の出力端子に並列に接続されている。従って共振コンデンサ２８２の一方電極である電極４５２は二次巻線２６４の一端とリード線４６２で接続され、共振コンデンサ２８２の他方の電極である電極４５６は二次巻線２６４の他端とリード線４６４で接続されている。電極４５２と電極４５６との間の耐電圧を確保するために、例えばこの実施例では誘電体４５４を、誘電特性を有するフィルムを複数回巻回することにより構成している。誘電特性を有するフィルムを所定数積層することにより、必要な耐電圧を確保することができ、前記所定数の積層を前記フィルムの巻回数で制御できるので、図８の構成は生産性に優れている。
【００４４】
また図７のコンデンサ３３２も当然のことながら同様の構成とすることができる。なお図７で説明したように、図８に示す共振コンデンサ２８２についても、薄い２枚の金属の間に誘電体４５４例えばフィルムを挟んだ３層構造をさらに絶縁材で挟んだ構成の積層コンデンサシートを巻回することによりコンデンサを形成しても良い。このような構造とすることにより、中心軸２５４方向の長さに制限されることなく対向する前記２枚の金属の間の望ましい対向面積を確保することができ、必要な容量を得ることができる。
【００４５】
また昇圧用変圧器２６０とコンデンサ３３２との関係、あるいは昇圧用変圧器２６０と共振コンデンサ２８２との関係について説明したが、昇圧用変圧器２７０とコンデンサ３４２との関係、あるいは昇圧用変圧器２７０と共振コンデンサ２８４との関係も同様である。従って昇圧用変圧器２７０についての説明を省略する。
【００４６】
昇圧用変圧器２６０や昇圧用変圧器２７０で、二次巻線２６４や二次巻線２７４と並列に接続される共振コンデンサ２８２や共振コンデンサ２８４を二次巻線２６４や二次巻線２７４の外側に、これらと積層の構造で配置することにより、昇圧用変圧器と共振コンデンサとをコンパクトな構造で作ることができ、高電圧発生部２４０全体がコンパクトになる。さらに昇圧用変圧器と共振コンデンサとが遠心力に対して大変強い構造となり、高電圧発生部２４０が回転フレーム１１０に取り付けられることにより、高電圧発生部２４０が回転しても遠心力に十分に耐えることができ、信頼性が向上する。また昇圧用変圧器２６０や昇圧用変圧器２７０と前記各コンデンサとの接続が容易となることは当然であるが、前記接続構造も遠心力に十分に耐えることができる構造となり、これらの接続に関しても信頼性が向上する。
【００４７】
６．昇圧用変圧器２６０および２７０の巻線と積層構造を成すコンデンサの他の実施例の説明
（１）コッククロフト・ウォルトン回路に使用されるコンデンサ３３２の構成の説明
図７で説明したコンデンサ３３２は、昇圧用変圧器２６０の二次巻線２６４の外側に配置されている。しかしコンデンサ３３２と接続点３６４との配置を入れ替えても良い。この構造について図９を用いて説明する。なお図７と同様に昇圧用変圧器２７０の二次巻線２７４の外側にコンデンサ３４２を設けることができ、さらに以下に説明するように、昇圧用変圧器２７０の二次巻線２７４の位置とコンデンサ３４２の位置を入れ替えることができる。
【００４８】
図９では図７と同様に、鉄心２５６の外周に巻枠４１２を設け、巻枠４１２に一次側巻線２６２を巻回している。図７では一次側巻線２６２の外相に絶縁機能を有する巻枠４２２を設け、巻枠４２２に二次巻線２６４を巻回していた。一方図９では巻枠４２２の位置に相当する一次側巻線２６２の外側に巻枠４２２の代わりに絶縁体４７２を設ける。絶縁体４７２の外側にコンデンサ３３２を配置する。コンデンサ３３２は図７の構造と同様に電極４４２と誘電体４４４と電極４４６とを有している。コンデンサ３３２の構造や作用や効果は図７などを用いて説明したとおりである。
【００４９】
コンデンサ３３２の外側に絶縁体４３２を設けその外側に二次巻線２６４を巻回している。二次巻線２６４の一端がリード線４４８によりコンデンサ３３２の一方の電極である電極４４２と接続され、コンデンサ３３２の他方の電極である電極４４６はリード線４４９を介して図５に示す接続点３５２に接続される。
【００５０】
昇圧用変圧器２６０や昇圧用変圧器２７０で、二次巻線２６４や二次巻線２７４と接続されるコンデンサ３３２やコンデンサ３４２を一次側巻線２６２や一次側巻線２６２の外側に、これらと積層構造で配置することにより、昇圧用変圧器とコッククロフト・ウォルトン回路に使用されるコンデンサとをコンパクトな構造で作ることができ、高電圧発生部２４０全体がコンパクトになる。さらに昇圧用変圧器とコッククロフト・ウォルトン回路に使用されるコンデンサとが遠心力に対して大変強い構造となり、高電圧発生部２４０が回転フレーム１１０に取り付けられることにより、高電圧発生部２４０が回転しても遠心力に十分に耐えることができ、信頼性が向上する。また昇圧用変圧器２６０や昇圧用変圧器２７０と前記各コンデンサとの接続が容易となることは当然であるが、前記接続構造も遠心力に十分に耐えることができる構造となり、これらの接続に関しても信頼性が向上する。
【００５１】
（２）共振コンデンサ２８２の構成の説明
図９では昇圧用変圧器２６０の一次側巻線２６２の外側にコンデンサ３３２を配置し、さらにコンデンサ３３２の外側に二次巻線２６４を配置する構造を示す。コンデンサ３３２の代わりに共振コンデンサ２８２を設けても良い。図１０に昇圧用変圧器２６０の一次側巻線２６２の外側に共振コンデンサ２８２を配置し、共振コンデンサ２８２のさらに外側に二次巻線２６４を配置する構造を示す。図１０で他の図と同じ符号の構成は同じ作用をなし、同じ効果を奏する。図１０で他の図と同じ符号の構成については他の図ですでに説明しているので、説明を省略する。さらに共振コンデンサ２８２の作用や具体的な構造は図８で説明したとおりである。
【００５２】
鉄心２５６の外周に既に説明したように絶縁作用を成す巻枠４１２が設けられ、巻枠４１２に一次側巻線２６２が巻回されている。一次側巻線２６２の外側に絶縁体４７２が設けられ、絶縁体４７２の外側に電極４５６と誘電体４５４と電極４５２を備える共振コンデンサ２８２が設けられている。共振コンデンサ２８２の外周に絶縁体４３２を設け、絶縁体４３２の外側に二次巻線２６４が巻回されている。共振コンデンサ２８２の作用は上述の通りであり、リード線４６２やリード線４６４により二次巻線２６４と並列に接続されている。さらに共振コンデンサ２８２の他方の電極である電極４５６には、コンデンサ３３２と接続するためのリード線４７６が接続されている。
【００５３】
図１０は昇圧用変圧器２６０を例に説明しているが、昇圧用変圧器２７０と共振コンデンサ２８４との構造も図１０と同じであり、昇圧用変圧器２７０に関しては説明を省略する。昇圧用変圧器２６０や昇圧用変圧器２７０で、二次巻線２６４や二次巻線２７４と並列に接続される共振コンデンサ２８２や共振コンデンサ２８４を一次側巻線２６２や一次側巻線２６２の外側に、これらと積層の構造で配置することにより、昇圧用変圧器と共振コンデンサとをコンパクトな構造で作ることができ、高電圧発生部２４０全体がコンパクトになる。さらに昇圧用変圧器と共振コンデンサとが遠心力に対して大変強い構造となり、高電圧発生部２４０が回転フレーム１１０に取り付けられることにより、高電圧発生部２４０が回転しても遠心力に十分に耐えることができ、信頼性が向上する。また昇圧用変圧器２６０や昇圧用変圧器２７０と前記各コンデンサとの接続が容易となることは当然であるが、前記接続構造も遠心力に十分に耐えることができる構造となり、これらの接続に関しても信頼性が向上する。
【００５４】
７．昇圧用変圧器２６０および２７０の巻線と積層構造を成す複数コンデンサの実施例の説明
（１）昇圧用変圧器２６０あるいは２７０の二次巻線の外側に複数のコンデンサを巻線と積層状態を成すように配置した実施例の説明
図１１は昇圧用変圧器の巻線と積層構造を成すようにコッククロフト・ウォルトン回路に使用される複数のコンデンサを形成した実施例の断面図であり、特に昇圧用変圧器２６０の二次巻線２６４の外側にコンデンサ３３２とコンデンサ３３４を形成する実施例の説明図である。昇圧用変圧器２７０の二次巻線２７４の外側にコンデンサ３４２や３４４を形成する場合も略同様の構造と成り、さらに昇圧用変圧器２６０の二次巻線２６４あるいは昇圧用変圧器２７０の二次巻線２７４の外側にコンデンサ３３６やコンデンサ３３８を設ける場合も略同様である。これらを代表して昇圧用変圧器２６０の二次巻線２６４の外側にコンデンサ３３２とコンデンサ３３４を設ける実施例の構造を図１１により説明する。
【００５５】
上述したと同様に鉄心２５６の外側に設けられた絶縁機能を有する巻枠４１２に一次側巻線２６２が巻回されている。さらに一次側巻線２６２の外側に絶縁機能を有する巻枠４２２を設け、巻枠４２２に二次巻線２６４が巻回され、一次側巻線２６２と二次巻線２６４とが鉄心２５６に巻回されることにより、二次巻線２６４から昇圧された交流電圧が出力される。この構成および作用、効果は既に上述したとおりである。
【００５６】
二次巻線２６４の外側に二次巻線２６４を覆うようにして絶縁体４３２が配置され、絶縁体４３２の外側にコンデンサ３３２とコンデンサ３３４が配置される。コンデンサ３３２やコンデンサ３３４は既に図７で説明したコンデンサ３３２と同様であり、図１１では図７で説明したコンデンサ３３２と同様の構造のコンデンサが２個直列に接続された状態で配置されている。コッククロフト・ウォルトン回路などの高電圧整流部３００がさらに多くの直列接続されたコンデンサを有する場合には、図１１のコンデンサ３３２やコンデンサ３３４と同様の構造を繰り返して設けることにより、直列接続された複数のコンデンサを形成することができる。
【００５７】
図１１でコンデンサ３３２はリード線４４８により二次巻線２６４の一端に接続された一方の電極４４６と他方の電極４４２とこれらに挟まれた誘電体４４４を有している。電極４４２はコンデンサ３３２の他方の電極として作用するだけでなく、コンデンサ３３４の一方の電極としても作用する。コンデンサ３３４は共用する電極４４２を一方の電極として有し、他方の電極として電極４８２を有し、電極４４２と電極４８２との間に誘電体４８４を有する。
【００５８】
コンデンサ３３２とコンデンサ３３４との共通の電極４４２にリード線４８８が接続されており、電極４４２はリード線４８８を介して図５あるいは図６に記載の整流器３０２や整流器３０４に接続される。コンデンサ３３４の他の電極４８２はリード線４８６を介して整流器３０６や整流器３０８に接続それる。
【００５９】
図１１に記載のように一次側巻線２６２や二次巻線２６４と積層状態を成すようにコンデンサ３３２やコンデンサ３３４などの複数のコンデンサを形成することにより、高電圧発生部２４０がよりコンパクトと成り、回転フレーム１１０に固定するのに大変適している。また一次側巻線２６２や二次巻線２６４と積層状態を成すようにコンデンサ３３２やコンデンサ３３４などの複数のコンデンサを形成することにより、遠心力に非常に強い構造と成り、回転フレーム１１０に固定するのに大変適している。電極４４２を共用する構造で配置されたコンデンサ３３２とコンデンサ３３４は二次巻線２６４からの電位差が大きいコンデンサほど二次巻線２６４より離れた位置に形成することが可能となり、絶縁耐力を維持するのに優れた構造となっている。これらの効果は昇圧用変圧器２７０の巻線に積層状態を成すように複数のコンデンサが形成される場合にも同様である。
【００６０】
（２）昇圧用変圧器２６０あるいは２７０の二次巻線の内側に複数のコンデンサを積層構造で配置した実施例の説明
昇圧用変圧器２６０あるいは２７０の巻線に対して複数のコンデンサを積層構造で形成する場合に、図１１に記載の実施例では複数のコンデンサを昇圧用変圧器２６０あるいは２７０の二次巻線の外側に形成した。しかし本発明の適用はこれに限るものではなく、複数のコンデンサを昇圧用変圧器２６０あるいは２７０の二次巻線２６４や２７４の内側に配置しても良い。図１２に複数のコンデンサを昇圧用変圧器２６０あるいは２７０の二次巻線２６４や２７４の内側に配置した実施例を示す。ただし、昇圧用変圧器２６０の構造も昇圧用変圧器２７０の構造も同じであり、代表して昇圧用変圧器２６０の構造で説明する。
【００６１】
図１２において、上述のように鉄心２５６の外側に巻枠４１２を配置し、巻枠４１２に巻回して一次側巻線２６２を形成する。一次側巻線２６２の外側に一次側巻線２６２の外周全体を覆うように絶縁体４７２を配置し、絶縁体４７２の外側に巻線と積層構造を成すコンデンサ３３２やコンデンサ３３４を形成する。図１１と同様、コンデンサ３３２は電極４４６と電極４４２と電極４４６や電極４４２で挟まれた誘電体４４４とで形成され、コンデンサ３３４を共通に使用する電極４４２と電極４８２と電極４４２や電極４８２に挟まれた誘電体４８４とで形成される。電極４４６はリード線４９２やリード線４９４により二次巻線２６４や共振コンデンサ２８２に接続される。またコンデンサ３３２とコンデンサ３３４との共通の電極４４２はリード線４９６により整流器３０２や整流器３０４に接続される。コンデンサ３３４の電極４８２はリード線４９８により整流器３０６や整流器３０８に接続される。図１２に記載の実施例は昇圧用変圧器２６０とコンデンサ３３２やコンデンサ３３４などの複数のコンデンサを、積層構造を有するように形成した例である。上述したように図１２の記載と同様の構成により、昇圧用変圧器２７０に複数のコンデンサを積層構造を有して配置する場合にも適用できる。
【００６２】
図１２の実施例では、複数のコンデンサが昇圧用変圧器と積層構造を有するように形成されているので、高電圧整流部３００全体が小型と成り、回転フレーム１１０に固定するために要するスペースを少なくすることができる。また昇圧用変圧器に、複数のコンデンサが積層構造を有するように固定されているので、遠心力などの力に対し強度の点で優れている。従って回転フレーム１１０が回転することにより発生する遠心力や慣性力などに十分耐えることができ、高い信頼性が得られる。
【００６３】
８．高電圧発生部２４０の他の実施例の説明
（１）高電圧発生部２４０の他の実施例の回路の説明
コッククロフト・ウォルトン回路を使用した高電圧発生部２４０に付いて上述したが、コッククロフト・ウォルトン回路を使用すること本発明において必須ではなく、コッククロフト・ウォルトン回路を使用しない他の実施例を図１３に示す。インバータ２３０から所定の周波数の交流電圧が高電圧発生部２４０に供給されると、昇圧用変圧器５１０と５２０の一次巻線５１２と５２２にそれぞれ前記交流電圧が印加される。昇圧用変圧器５１０と昇圧用変圧器５２０でそれぞれ交流電圧を昇圧し、昇圧された交流電圧が、昇圧用変圧器５１０の二次巻線５１４および二次巻線５２４から出力される。二次巻線５１４および二次巻線５２４から出力された昇圧された交流電圧はそれぞれ整流器５１６および整流器５２６で整流され、平滑コンデンサ５１８および平滑コンデンサ５２８に直流電圧として蓄えられる。この実施例では平滑コンデンサ５１８と平滑コンデンサ５２８は直列接続されているので、平滑コンデンサ５１８の端子電圧と平滑コンデンサ５２８の端子電圧の加算された電圧が、陰極１３２側が負極となる極性で陰極１３２と陽極１３４との間に印加される。
【００６４】
図１３に記載の回路は一例であって昇圧用変圧器５１０や昇圧用変圧器５２０の巻線と、整流器５１６や５２６と、平滑コンデンサ５１８や平滑コンデンサ５２８の接続は色々な組み合わせがあり、本発明はその適用が特定の回路に限定されるものではなく、色々な回路に対して適用できる。重要なことは昇圧用変圧器と１個あるいは複数のコンデンサが存在することである。
【００６５】
（２）昇圧用変圧器５１０や５２０と平滑コンデンサ５１８や５２８の一体構造の説明
図１４に、昇圧用変圧器５１０の巻線に対して積層構造を有する平滑コンデンサ５１８を配置した昇圧用変圧器５１０と平滑コンデンサ５１８との一体構造の断面図を示す。鉄心５０５の外周に設けられた巻枠５０６に一次巻線５１２が巻回されて固定され、一次巻線５１２の外周を覆うようにして絶縁機能を有する巻枠５１３が設けられている。二次巻線５１４は巻枠５１３に巻回されて固定されている。巻枠５１３の外周がさらに絶縁体５３０で覆われており、絶縁体５３０の外側に平滑コンデンサ５１８が設けられている。
【００６６】
平滑コンデンサ５１８は上述したコンデンサと同様の構造を備え、一次巻線５１２や二次巻線５１４に対して積層状態で形成された電極５３６と、電極５３２と、電極５３６と電極５３２とに挟まれて電荷を蓄える作用をする誘電体５３４と、を備えている。上述したように電極５３６や誘電体５３４、電極５３２は一次巻線５１２や二次巻線５１４と積層状態を成すように設けられて固定されている。昇圧用変圧器５１０と整流器５１６と平滑コンデンサ５１８で構成される構造に付いて説明したが、昇圧用変圧器５２０と５２６と平滑コンデンサ５２８に付いても全く同様の構造であり、説明を省略する。
【００６７】
二次巻線５１４から出力された交流電圧は整流器５１６により整流されて平滑コンデンサ５１８に蓄積される。平滑コンデンサ５１８に蓄積された電圧と、図１３に記載の平滑コンデンサ５２８に蓄積された電圧が、リード線５５４から図１３に記載のＸ線管１３０の陰極１３２に印加される。
【００６８】
上述した作用や効果と同様、平滑コンデンサ５１８の構成要素が一次巻線５１２や二次巻線５１４に対して積層構造を成すように配置されているので、昇圧用変圧器５１０と平滑コンデンサ５１８を非常にコンパクトに作ることができる。これは昇圧用変圧器５２０と平滑コンデンサ５２８に関しても同様である。従って図１３に記載の高電圧発生部２４０を固定するためのスペースを非常に小さくすることができる。回転フレーム１１０に高電圧発生部２４０を固定するＸ線ＣＴ装置１０において、回転フレーム１１０に高電圧発生部２４０を固定するためのスペースを小さくできることは、回転フレーム１１０への負担が低減されるなど、上述したように色々な効果が得られる。
【００６９】
さらに平滑コンデンサ５１８の構成要素が昇圧用変圧器５１０に積層状態で固定されるので、平滑コンデンサ５１８や平滑コンデンサ５２８を固定する構造が簡素化され、高電圧発生部２４０の重量を低減できる。回転フレーム１１０に高電圧発生部２４０を固定した場合に回転フレーム１１０の回転に伴って発生する遠心力を低減できる。また回転フレーム１１０全体の重量の低減につながるので、慣性力の低減につながり、回転フレーム１１０の加減速制御の制御性が向上する。上述したようにこのような効果は上述した実施例においても同様に奏することができる。
【００７０】
（３）昇圧用変圧器５１０や５２０と平滑コンデンサ５１８や５２８の一体構造の他の実施例の説明
図１４の実施例では、平滑コンデンサ５１８や平滑コンデンサ５２８は一次巻線５１２や二次巻線５１４の外側に配置されている。上述した実施例ではコンデンサを一次巻線５１２や二次巻線５１４の外側に配置するだけでなく、二次巻線５１４の内側に配置する例を説明した。図１４の構造に付いても、平滑コンデンサ５１８を二次巻線５１４の内側に配置することが可能である。この実施例を図１５に記載する。
【００７１】
図１５は昇圧用変圧器５１０と平滑コンデンサ５１８との一体構造の断面図を示す。鉄心５０５の外周に設けられた巻枠５０６に一次巻線５１２が巻回されて固定されている。一次巻線５１２の外周を覆うように絶縁体５０８が設けられ、絶縁体５０８の外側に電極５３６と電極５３２と誘電体５３４を備えた平滑コンデンサ５１８が設けられている。平滑コンデンサ５１８の外側に絶縁体５３０が平滑コンデンサ５１８を覆うように配置され、絶縁体５３０に二次巻線５１４が巻回されて固定されている。
【００７２】
平滑コンデンサ５１８の一方の電極５３６は、整流器５１６を介して二次巻線５１４の一端と接続されており、平滑コンデンサ５１８の他の電極５３２はリード線５５２を介して二次巻線５１４の他端に接続されている。図示していないが昇圧用変圧器５２０と平滑コンデンサ５２８も同様の構成である。
【００７３】
二次巻線５１４から出力された交流電圧は整流器５１６で整流されて平滑コンデンサ５１８に蓄えられる。図示していないが図１３に記載のように平滑コンデンサ５１８は平滑コンデンサ５２８と直列に接続されており、平滑コンデンサ５１８や平滑コンデンサ５２８に蓄えられた電圧は、リード線５５４を介して図１３に記載のＸ線管１３０の陰極１３２に印加される。
【００７４】
上述したように図１５に示す構造においても、図１４で説明した効果を奏することができる。また図１３に記載の回路では、使用するコンデンサの数が昇圧用変圧器５１０や昇圧用変圧器５２０に対してそれぞれ１個であり、たいへん少ない。使用するコンデンサの数が少ない場合には、巻回された一次巻線５１２と巻回された二次巻線５１４との間に前記コンデンサを積層状態に配置することで、高電圧発生部２４０全体が大変コンパクトとなる。このため回転フレーム１１０に搭載するのに大変適している。また一次巻線５１２や二次巻線５１４に対して平滑コンデンサ５１８が積層構造に作られているので、高電圧発生部２４０自身に作用する力に対してたいへん強い構造となっている。このため、回転する回転フレーム１１０に搭載するのに大変適している。例えば回転フレーム１１０の回転に伴って発生する遠心力に対応するのに大変優れている。また高電圧発生部２４０自身が比較的軽くなり、発生する遠心力が小さくなる。さらに回転フレーム１１０の慣性力が小さくなり、回転フレーム１１０の加減速制御の制御性が改善される。回転フレーム１１０がアンバランスであると、あるいは質量が大きいと、回転フレーム１１０の支持機構に大きな負担が掛かる。高電圧発生部２４０の質量の低減につながることは、回転フレーム１１０がアンバランスの抑制等に効果があり、回転フレーム１１０の支持機構の負担低減につながる。
【００７５】
９．高電圧発生部２４０のさらに他の実施例の説明
（１）巻線の巻回軸方向の電位変化に対応したコンデンサの配置構造の説明
上述した図７に記載のコンデンサ３３２や、図８に記載の共振コンデンサ２８２や、図８に記載のコンデンサ３３２や、図１０に記載の共振コンデンサ２８２や、図１１に記載のコンデンサ３３２やコンデンサ３３４、図１４に記載の平滑コンデンサ５１８や、図１５に記載の平滑コンデンサ５１８は、昇圧用変圧器の鉄心の軸方向において、分割されていない、１個のコンデンサの構造を成している。これらコンデンサを形成する電極や誘電体は昇圧用変圧器の一次側巻線あるいは二次巻線に対して積層構造となるように形成されている。一次側巻線や二次巻線は一方の端と他方の端との間に電圧が発生しているので、鉄心２５６の軸方向すなわち巻線の軸方向に沿って電位が大きく変化している。一方これら巻線と積層構造を有する上記各コンデンサは前記軸方向に沿って一体の電極形状を成すので、前記軸方向において同一電位となる。この結果二次巻線の一方あるいは他方の端部と上記各コンデンサの電極との間にたいへん大きな電位差が生じることとなる。
【００７６】
上述の各コンデンサを軸方向に分割することにより、上記各コンデンサの電極と巻線との間の電位差を小さくすることができる。上述の各コンデンサを仮に均等に分割したとすると上記各コンデンサの電極と巻線との間の電位差は分割数に反比例的に減少する。さらに分割しない構造のコンデンサの電極間電圧が、仮に各コンデンサを均等に分割したとすると、反比例的に減少する。このようにコンデンサを分割することにより電位差を減少させることができ、電位差に対する絶縁が非常に容易となる。例えばコンデンサと巻線との間の絶縁体の厚さを薄くすることができ、あるいはコンデンサを構成する電極間の誘電体の厚さを薄くすることができる。結果として高電圧発生部２４０の小型化や質量の低減が可能となる。このことは回転フレーム１１０の支持部の負担低減や、回転速度の加減速性の改善につながり、回転フレーム１１０に搭載された高電圧発生部２４０の遠心力の低減にもつながる。
【００７７】
上述した各コンデンサに関して上述した分割構造を一々説明することは、説明が煩雑となるので、代表して図８の共振コンデンサ２８２を軸方向に沿って分割し、分割された複数のコンデンサの直列接続で構成する構造を、図１６を用いて説明する。繰り返しになるが上述の各コンデンサに対して同様に以下の説明の構造が適用可能である。
【００７８】
鉄心２５６の外側を覆うように巻枠４１２が設けられ、巻枠４１２に一次側巻線２６２が巻回されている。この実施例では一次側巻線２６２の外側に絶縁機能を有する巻枠４２２を設け、巻枠４２２に二次巻線２６４が巻回されている。二次巻線２６４の外側に、二次巻線２６４の外周を完全に覆う形状の絶縁体４３２が設けられ、絶縁体４３２の外側に共振コンデンサ２８２が形成されている。
【００７９】
先の図８に記載の共振コンデンサ２８２では、電極６３４や電極６４４、電極６５４、電極６６４は一体に繋がっていたが、本実施例ではスリット６３８やスリット６４８、スリット６５８によりそれぞれ分割されている。同様に電極６３２や電極６４２、電極６５２、電極６６２も、スリット６３６やスリット６４６、スリット６５６によりそれぞれ分割されている。この結果コンデンサ６１０が電極６３２と電極６３４と誘電体４５４により作られ、コンデンサ６１２が電極６４２とスリット６３８と誘電体４５４により作られ、コンデンサ６１４が電極６４２と電極６４４と誘電体４５４により作られ、コンデンサ６１６が電極６５２と電極６４４と誘電体４５４により作られ、コンデンサ６１８が電極６５２と電極６５４と誘電体４５４により作られ、コンデンサ６２０が電極６６２と電極６５４と誘電体４５４により作られ、コンデンサ６２２が電極６６２と電極６６４と誘電体４５４により作られ、さらにこれらのコンデンサは直列に接続される。
【００８０】
図８の共振コンデンサ２８２が、図１６に記載のコンデンサ６１０とコンデンサ６１２、コンデンサ６１４、コンデンサ６１６、コンデンサ６１８、コンデンサ６２０、コンデンサ６２２の７個のコンデンサの直列回路で構成されることになる。電極６３２と電極６６４に印加される電圧を前記７個のコンデンサで分割する状態となり、各コンデンサの電極間に生じる電圧は大幅に減少する。例えば前記各コンデンサの特性が同じとなるように分割されたとすると、前記コンデンサの電極間に生じる電圧は７分の１となる。このように上述のコンデンサ例えば共振コンデンサ２８２を構成する電極を分割することにより、各コンデンサの電極間に加わる電圧を大幅に減少できる。従って各コンデンサの誘電体の厚さを薄くできる。誘電体の厚さを薄くできることにより、各コンデンサを構成する電極間の距離が短縮され、各コンデンサの容量を増やす方向に改善される。ただし、各コンデンサの容量は電極の対向面積に依存するため、対向面積が減少し、このことは各コンデンサの容量を減少させる傾向となる。容量を維持あるいは増加させるための方法の一つとして巻回数を増やして前記有効対向面積を増大する方法がある。次にコンデンサを形成するためのコンデンサシートの説明を行い、巻回数を増やして前記有効対向面積を増大する方法を説明する。
【００８１】
なお、図１６に記載の実施例では、コンデンサの一方の電極に形成したスリットと、コンデンサの他方の電極に形成したスリットとを、軸方向の位置において互いにずらせて形成しているので、コンデンサの一方の電極とコンデンサの他方の電極とが、コンデンサの電極の作用だけでなく形成されたコンデンサを互いに接続する配線の作用も成す。このことによりコンデンサを接続するための配線を無くすことができ、構造が大変簡単になる。このことは小型化に繋がるだけでなく、信頼性の向上にもなる。
【００８２】
（２）コンデンサを形成するためのシート（以下コンデンサシートと記す）の説明
図１６に示すコンデンサの部分の内部構造を説明するために模式的に記載した模式図を図１７に示す。図１６では、鉄心２５６に対して巻回された一次側巻線２６２や二次巻線２６４の外側に設けられた絶縁体４３２に共振コンデンサ２８２に対応する直列接続された複数のコンデンサが形成されている。図１７は共振コンデンサ２８２に対応する複数のコンデンサを形成するためのコンデンサシート６７０を一部開放した状態を示す。
【００８３】
図１６に記載の誘電体４５４に対応する誘電体シート４５４Ａの表面に、電極６６４や電極６５４、電極６４４、電極６３４として作用する電極シートが、スリット６５８やスリット６４８、スリット６３８で分割されて配置されている。また絶縁特性を有する絶縁シート４５４Ｂの表面に、電極６６２や電極６５２、電極６４２、電極６３２として作用する電極シートが、スリット６５６やスリット６４６、スリット６３６で分割されて配置されている。本明細書ではシートは薄い板状の金属や金属膜を含む広い概念を意味する用語として使用する。
【００８４】
誘電体シート４５４Ａはコンデンサの誘電体として作用すると共にコンデンサの電極間に加わる電圧に耐える耐電圧特性を有している。また絶縁シート４５４Ｂは其の両面に加わる電圧に十分耐えられる絶縁体としての耐電圧特性を有している。誘電体シート４５４Ａと絶縁シート４５４Ｂは同じ材質であっても良い。また図１７の実施例では、電極６６４や電極６５４、電極６４４、電極６３４を誘電体シート４５４Ａの表面に設け、電極６６２や電極６５２、電極６４２、電極６３２を絶縁シート４５４Ｂの表面に設けているが、電極６６４や電極６５４、電極６４４、電極６３４を誘電体シート４５４Ａの一方の面に設け、電極６６２や電極６５２、電極６４２、電極６３２を誘電体シート４５４Ａの他方の面に設ける構造にしても良い。この構造であっても、巻回した場合の層構造における絶縁を確保するために、絶縁シート４５４Ｂを設ける構造が好ましい。このようにコンデンサシート６７０は少なくとも誘電体シート４５４Ａの両面に位置する一方および他方の電極シートと、さらに絶縁のための絶縁シート４５４Ｂを有していることが望ましい。
【００８５】
電極６６４や電極６５４、電極６４４、電極６３４と電極６６２や電極６５２、電極６４２、電極６３２との対向面積を大きくすることにより、コンデンサ容量を増加させることができる。コンデンサシート６７０の巻回回数を増やすことにより、電極６６４や電極６５４、電極６４４、電極６３４と電極６６２や電極６５２、電極６４２、電極６３２との対向面積を大きくすることができ、コンデンサ容量を確保することができる。このようにコンデンサシート６７０を必要とする回数だけ巻回してコンデンサを形成する方法は、十分なコンデンサの容量を確保できる効果がある。さらに電極や誘電体が巻回された状態で鉄心２５６に保持されるので、外圧に対し機械的に強固な構造となる効果がある。これらコンデンサは回転フレーム１１０の回転に伴う振動や遠心力や慣性力の影響を受けるが、コンデンサシート６７０を巻回して形成されたコンデンサではこれらの力に十分に耐えられる機械的に優れた特性を有している。
【００８６】
（３）スリットを設けないコンデンサシートの説明
図１７に記載のようにスリット６５８などのスリットで分割したコンデンサシート６７０を使用することにより、図１６に記載のように軸方向に分割されたコンデンサを形成することができる。一方上述した図７に記載のコンデンサ３３２や、図８に記載の共振コンデンサ２８２や、図８に記載のコンデンサ３３２や、図１０に記載の共振コンデンサ２８２や、図１１に記載のコンデンサ３３２やコンデンサ３３４、図１４に記載の平滑コンデンサ５１８や、図１５に記載の平滑コンデンサ５１８は、軸方向に分割されていない構造を有している。この場合には図１７に記載のスリットは不要である。スリットを形成していない状態のコンデンサシート６８０を図１８に示す。
【００８７】
図１８に記載のコンデンサシート６８０では、誘電体シート４５４Ａに電極シート６８２が設けられ、絶縁シート４５４Ｂに電極シート６８４が設けられている。コンデンサシート６８０を巻回することにより、上述した図７や図８、図１０、図１１、図１４、図１５に記載のコンデンサを作ることができる。なお電極シート６８４は絶縁シート４５４Ｂではなく、誘電体シート４５４Ａの裏面に設けても良い。コンデンサシート６８０の巻回の回数を増やすことにより、誘電体シート４５４Ａを挟むようにして設けられた電極シート６８２と電極シート６８４との対向面積を増やすことができ、望ましい容量を得ることができる。
【００８８】
１０．本発明が適用された実施例の効果の説明
上述した種々の実施例によれば、昇圧用変圧器の鉄心又は巻線に積層構造となるようにコンデンサを構成する電極や誘電体を巻回して配置するので、高電圧発生部２４０を従来より小型にすることができる。従ってＸ線装置の撮影部分を小型にすることができる。特にＸ線ＣＴ装置１０では回転フレーム１１０に高電圧発生部２４０を固定することが一般的であり、高電圧発生部２４０を小型化あるいは質量低減化を図ることは、回転フレーム１１０の省スペース化や質量低減に大きく貢献する。回転フレーム１１０はＸ線撮影時に回転駆動されるため、省スペース化できれば回転フレーム１１０を小型化でき、質量も低減できる。質量が低減できれば加減速の制御特性が向上し、また回転フレーム１１０を支える軸受部の負担も軽減される。
【００８９】
高電圧発生部２４０に使用されるコンデンサを昇圧用変圧器の鉄心又は巻線に積層構造となるように巻回して形成することにより、コンデンサに加わる遠心力に十分に耐えることができる機械的に優れたコンデンサを得ることができる。このことは信頼性の向上にも繋がる。
【００９０】
コンデンサをコンデンサシート６８０や６７０で形成する場合に、巻回数を増やすことにより、容易にコンデンサの容量を確保することができ、構造がシンプルで、生産性に大変優れている。昇圧用変圧器とコンデンサとの間の接続距離が短くなり、回転フレーム１１０の回転に伴う振動に対応し易くなる。高電圧発生部２４０に使用されるコンデンサを昇圧用変圧器の鉄心又は巻線に積層構造となるように形成することや昇圧用変圧器とコンデンサとの間の接続距離が短くなることにより、回転フレーム１１０の回転に伴う低周波振動に対して機械的な共振周波数を外し易くなり、機械的な信頼性が向上する。
【００９１】
コンデンサの電極をスリットにより軸方向に分割することにより、複数コンデンサの直列回路を形成することができる。この場合、加わる電圧を、スリットにより分割された複数のコンデンサで分圧することになり、コンデンサ１個の場合に比べ電極間に加わる電圧を分割個数で割った電圧に低減できる。従って誘電体に要求される耐電圧が減少し、誘電体シートを薄くすることができる。誘電体シートが薄くなると電極間の距離が減少し、静電容量が増加する効果が得られる。
【００９２】
コッククロフト・ウォルトン回路では、昇圧のために複数個のコンデンサを使用する。これらのコンデンサを、昇圧用変圧器の鉄心や巻線と積層状態となる構造で、何段にも重ねて形成することができる。このような構造においては、上述した効果がより顕著となる。さらにコッククロフト・ウォルトン回路に使用されるコンデンサを電圧の低いコンデンサから順に外周側に向かって形成し、電圧の高いコンデンサを外周側に形成することにより、鉄心から遠い側に電圧の高いコンデンサが配置され、耐電圧的に優れた構造となる。
【００９３】
巻回されたコンデンサが昇圧用変圧器に強固に固定されるので、昇圧用変圧器の鉄心を高電圧発生部２４０の筐体２４２に固定することにより、簡単な構造で巻回されたコンデンサを支持することができ、生産性の上で大変優れており、また機械的な信頼性が向上する効果が得られる。
【符号の説明】
【００９４】
１０…Ｘ線ＣＴ装置、２０…隔壁、３０…撮影部、４０…操作部、８２…スタンド、８３…スタンド、１００…スキャナ、１０４…寝台、１１０…回転フレーム、１１２…開口部、１２０…Ｘ線管装置、１２２…コリメータ、１２４…Ｘ線検出ユニット、１２６…データ収集装置、１３０…Ｘ線管、１３２…陰極、１３４…陽極、１４０…加熱変圧器、１７０…Ｘ線制御装置、１７６…冷却装置、１８０…操作卓、１８４…システム制御装置、１８６…画像処理装置、１８８…記憶装置、１９０…入出力装置、２２２…商用電源、２２４…コンバータ、２３０…インバータ、２４０…高電圧発生部、２４２…筐体、２４４…フレーム、２４６…絶縁油、２５０…高電圧変圧部、２５２…取付金具、２５４…中心軸、２５６…鉄心、２６０…昇圧用変圧器、２６２…一次側巻線、２６４…二次巻線、２６６…Ｖ１矢印、２７０…昇圧用変圧器、２７６…Ｖ２矢印、２８２…共振コンデンサ、２８４…共振コンデンサ、３００…高電圧整流部、３０２…整流器、３０４…整流器、３０６…整流器、３０８…整流器、３１２…整流器、３１４…整流器、整流器３１６、３１８…整流器、３３２…コンデンサ、３３４…コンデンサ、３３６…コンデンサ、３３８…コンデンサ、３４２…コンデンサ、３４４…コンデンサ、４１２…巻枠、巻枠…４２２、４３２…絶縁体、４４２…電極、４４４…誘電体、４４６…電極、４４８…リード線、４４９…リード線、４５２…電極、４５４…誘電体、４５４Ａ…誘電体シート、４５４Ｂ…絶縁シート、４５６…電極、４６２…リード線、４６４…リード線、４７２…絶縁体、４８２…電極、４８４…誘電体、４８６…リード線、４８８…リード線、５１０…昇圧用変圧器、５１２…一次巻線、５１４…二次巻線、５１６…整流器、５１８…平滑コンデンサ、５２０…昇圧用変圧器、５２２…一次巻線、５２４…二次巻線、５２８…平滑コンデンサ、６１０…コンデンサ、６１２…コンデンサ、６１４…コンデンサ、６１６…コンデンサ、６１８…コンデンサ、６２０…コンデンサ、６２２…コンデンサ、６３２…電極、６３４…電極、６３８…スリット、６４２…電極、６４４…電極、６４６…スリット、６４８…スリット、６５２…電極、６５４…電極、６５８…スリット、６６２…電極、６６４…電極、６７０…コンデンサシート、６８０…コンデンサシート、６８２…電極シート、６８４…電極シート。
【図１】
2016062747.tif 000003
【図２】
2016062747.tif 000004
【図３】
2016062747.tif 000005
【図４】
2016062747.tif 000006
【図５】
2016062747.tif 000007
【図６】
2016062747.tif 000008
【図７】
2016062747.tif 000009
【図８】
2016062747.tif 000010
【図９】
2016062747.tif 000011
【図１０】
2016062747.tif 000012
【図１１】
2016062747.tif 000013
【図１２】
2016062747.tif 000014
【図１３】
2016062747.tif 000015
【図１４】
2016062747.tif 000016
【図１５】
2016062747.tif 000017
【図１６】
2016062747.tif 000018
【図１７】
2016062747.tif 000019
【図１８】
2016062747.tif 000020